(57)【特許請求の範囲】
【請求項１】
ユーザ装置（ＵＥ）がセミパーシステントスケジューリング（ＳＰＳ）データパケットの確認応答（ＡＣＫ）情報をフィードバックする方法であって、
基地局（ＢＳ）から、ｋ個（ｋ＜Ｎ）の下りリンクデータパケットはＳＰＳデータパケットである下りリンクデータパケットと、前記ＢＳによって送信された前記下りリンクデータパケットの数Ｎ（Ｎは複数）を示す上りリンクデータ割り当てインジケーター（ＵＬ  ＤＡＩ）を受信することと、
ｋ個のＳＰＳデータパケットのｋ個の確認応答／否定応答（ＡＣＫ／ＮＡＫ）を、Ｎ個のＡＣＫ／ＮＡＫのうちの（Ｎ−ｋ＋１）番目からＮ番目までの位置に配置し、
１番目の位置のＡＣＫ／ＮＡＫから始まるＮ個のＡＣＫ／ＮＡＫを前記ＢＳに送信すること
を含む、方法。
【請求項２】
前記下りリンクデータパケットの非ＳＰＳデータパケットのＮ−ｋ個のＡＣＫ／ＮＡＫは、Ｎ個のＡＣＫ／ＮＡＫのうちの１番目の位置から配置される、請求項１に記載の方法。
【請求項３】
前記ＢＳから、下りリンクデータパケットが前記下りリンクデータパケットのＭ番目（Ｍ≦Ｎ−ｋ）の非ＳＰＳデータパケットであることを示す下りリンクデータ割り当てインジケーター（ＤＬ  ＤＡＩ）を受信することをさらに含み、
前記Ｍ番目の非ＳＰＳデータパケットのＡＣＫ／ＮＡＫは、Ｎ個のＡＣＫ／ＮＡＫのうちのＭ番目の位置に配置される、請求項２に記載の方法。
【請求項４】
前記ＳＰＳデータパケットは、リソーススケジューリングインデックスを有さないデータパケットであり、前記非ＳＰＳデータパケットは、リソーススケジューリングインデックスを有するデータパケットを含む、請求項１〜請求項３の何れか１項に記載の方法。
【請求項５】
ｋ＝１とした請求項１〜請求項４の何れか１項記載の方法。
【請求項６】
（Ｎ−ｋ＋１）番目のＡＣＫ／ＮＡＫからＮ番目のＡＣＫ／ＮＡＫまでの位置は、正順又は逆順に、あるいはＳＰＳデータパケットの到着順序に従って、下りデータパケットのｋ個のＳＰＳデータパケットの確認情報を配列するために使用される請求項１〜請求項４の何れか１項記載の方法。
【請求項７】
基地局（ＢＳ）から、ｋ個（ｋ＜Ｎ）の下りリンクデータパケットはセミパーシステントスケジューリング（ＳＰＳ）データパケットである下りリンクデータパケットと、前記ＢＳによって送信された前記下りリンクデータパケットの数Ｎ（Ｎは複数）を示す上りリンクデータ割り当てインジケーター（ＵＬ  ＤＡＩ）を受信するように構成された受信ユニットと、
ｋ個のＳＰＳデータパケットのｋ個の確認応答／否定応答（ＡＣＫ／ＮＡＫ）を、Ｎ個のＡＣＫ／ＮＡＫのうちの（Ｎ−ｋ＋１）番目からＮ番目までの位置に配置するように構成された処理ユニットと、
１番目の位置のＡＣＫ／ＮＡＫから始まるＮ個のＡＣＫ／ＮＡＫを前記ＢＳに送信するように構成されたフィードバックユニットとを備える、ユーザ装置（ＵＥ）。
【請求項８】
前記処理ユニットは、前記下りリンクデータパケットの非ＳＰＳデータパケットのＮ−ｋ個のＡＣＫ／ＮＡＫを、Ｎ個のＡＣＫ／ＮＡＫのうちの１番目の位置から配置するように更に構成された、請求項７に記載のＵＥ。
【請求項９】
前記受信ユニットは、前記ＢＳから、下りリンクデータパケットが前記下りリンクデータパケットのＭ番目の非ＳＰＳデータパケットであることを示す下りリンクデータ割り当てインジケーター（ＤＬ  ＤＡＩ）を受信するように更に構成され、
前記Ｍ番目の非ＳＰＳデータパケットのＡＣＫ／ＮＡＫは、Ｎ個のＡＣＫ／ＮＡＫのうちのＭ番目の位置に配置される、請求項７又は８に記載のＵＥ。
【請求項１０】
前記ＳＰＳデータパケットは、リソーススケジューリングインデックスを有さないデータパケットであり、前記非ＳＰＳデータパケットは、リソーススケジューリングインデックスを有するデータパケットを含む、請求項７〜請求項９の何れか１項に記載のＵＥ。
【請求項１１】
ｋ＝１とした請求項７〜請求項１０の何れか１項に記載のＵＥ。
【請求項１２】
（Ｎ−ｋ＋１）番目のＡＣＫ／ＮＡＫからＮ番目のＡＣＫ／ＮＡＫまでの位置は、正順又は逆順に、あるいはＳＰＳデータパケットの到着順序に従って、下りデータパケットのｋ個のＳＰＳデータパケットの確認情報を配列するために使用される請求項７〜請求項１０の何れか１項記載のＵＥ。
【請求項１３】
コンピュータに、請求項１〜６の何れか１項に記載の方法を実行させるためのプログラムを記録したコンピュータ可読記録媒体。
【発明の詳細な説明】
【技術分野】
【０００１】
本開示は、無線通信に関し、特に、セミパーシステントスケジューリングデータパケットの確認応答情報をフィードバックする方法、装置、及びコンピュータ可読記録媒体に関する。
【背景技術】
【０００２】
従来の３ＧＰＰ  Ｅ−ＵＴＲＡシステムでは、周波数分割複信（ＦＤＤ）及び時分割複信（ＴＤＤ）という２つのモードがサポートされている。ＴＤＤモードでは、各無線フレームの長さは、１０ｍｓであり、２つの５ｍｓの長さのハーフフレームによって構成される。各ハーフフレームは、８つの０．５ｍｓタイムスロットと、３つの特別なフィールド、すなわち、下りリンクパイロットタイムスロット（ＤｗＰＴＳ）、ガード期間（ＧＰ）、及び上りリンクパイロットタイムスロット（ＵｐＰＴＳ）とによって構成される。２つのタイムスロットがサブフレームを形成し、そして、ＤｗＰＴＳ、ＧＰ、及びＵｐＰＴＳは特別なサブフレームを形成する。サブフレームの長さは１ｍｓである。
【０００３】
現在、３ＧＰＰ  Ｅ−ＵＴＲＡシステムにおいては、複数の下りリンクサブフレームの確認応答又は否定応答（ＡＣＫ／ＮＡＫ）を上りリンクサブフレーム内でフィードバックするために、マルチプレクシング及びバンドリングという２つのモードが利用可能である。マルチプレクシングモードでは、ＡＣＫ／ＮＡＫが物理上りリンク制御チャネル（ＰＵＣＣＨ）内でフィードバックされる場合、フィードバックは上りリンク−下りリンク構成に関連し、ＡＣＫ／ＮＡＫが物理下りリンク共有チャネル（ＰＤＳＣＨ）内でフィードバックされる場合、フィードバックされるビットの数は、上りリンクグラント（ＵＬ  Ｇｒａｎｔ）シグナリングが存在するかどうかによって異なる。ＵＬ  Ｇｒａｎｔシグナリングが存在する場合、ユーザ装置（ＵＥ）がフィードバックすることを要求されるビットの数は、シグナリング内の上りリンクデータ割り当てインジケーター（ＵＬ  ＤＡＩ）フィールドを介して指定される。基地局（ＢＳ）が合計Ｎ個の下りリンクサブフレームのうちのｘ個をスケジュールする場合、ＵＥはｘ個のＡＣＫ／ＮＡＫをフィードバックする。ＵＬ  Ｇｒａｎｔシグナリングが存在しない場合、ＵＥは、それらのスケジュールされていない下りリンクサブフレームに対して、Ｎビット及びＮＡＫをフィードバックする。
【０００４】
バンドリングモードでは、全てのスケジュールされた下りリンクサブフレームの詳細を示すために、ＰＵＣＣＨ内又はＰＵＳＣＨ内で、１ビットのみのＡＣＫ／ＮＡＫ情報がフィードバックされる。１つのスケジュールされた下りリンクサブフレームに対するフィードバックがＮＡＫである限り、最終的なフィードバックはＮＡＫである。全てのスケジュールされた下りリンクサブフレームに対するフィードバックがＡＣＫである場合のみ、最終的なフィードバックはＡＣＫである。
【０００５】
現在のロングタームエボリューション（ＬＴＥ）プロトコルでは、動的スケジューリング及びセミパーシステントスケジューリング（ＳＰＳ）という２つのデータスケジューリングモードが規定されている。動的スケジューリングモードでは、各新たなデータパケットが、リソース及び伝送モードを指示するための制御シグナリング−物理下りリンク制御チャネル（ＰＤＣＣＨ）を有する。ＵＥは、下りリンクデータを受信し、ＢＳによって配信されたＰＤＣＣＨに従って、上りリンクデータを送信する。ＳＰＳモードでは、ＢＳは、ＳＰＳ伝送が活性化される場合のみ、ＰＤＣＣＨ制御シグナリングを送信する。ＵＥは、ＰＤＣＣＨによって指示された位置及び時間に従って、ＳＰＳ伝送を活性化する。ＵＥは、特別なフォーマットの別のＰＤＣＣＨがＳＰＳ伝送を終了させるまでの一定期間内、新たなデータパケットを送信及び受信する。
【０００６】
ＰＤＣＣＨは、動的スケジューリング及びセミパーシステントスケジューリングの両方のモードで通知のために使用されるため、ＵＥは、スケジューリングモードが動的スケジューリングであるか又はセミパーシステントスケジューリングであるかを、ＰＤＣＣＨの巡回冗長検査（ＣＲＣ）における異なるスランブルＩＤによって区別する。動的スケジューリングモードでは、ＰＤＣＣＨのＣＲＣは、セル無線ネットワーク一時識別子（Ｃ−ＲＮＴＩ）を使用してスクランブルされ、セミパーシステントスケジューリングモードでは、ＰＤＣＣＨのＣＲＣは、ＳＰＳ−Ｃ−ＲＮＴＩを使用してスクランブルされる。ＵＥは、ＳＰＳ−Ｃ−ＲＮＴＩを使用してスクランブルされたＰＤＣＣＨを検出した場合、セミパーシステント伝送を活性化し、ＰＤＣＣＨ内の指示に従ってデータを受信又は送信する。セミパーシステント伝送が最初に活性化された場合、ＵＥは、それに続く期間内、ＰＤＣＣＨによって指示された位置のみに従ってデータを受信及び送信し、それにより、ＳＰＳデータパケットリソースの位置を、毎回ＰＤＣＣＨを介してＵＥに通知する必要がなくなる。ＳＰＳデータの期間が過ぎたときに、ＳＰＳ−Ｃ−ＲＮＴＩを使用してスクランブルされた特別なフォーマットのＰＤＣＣＨによってセミパーシステント伝送がキャンセルされるまでの間に、ＳＰＳリソースの位置が変更される必要がある場合は、新たなＰＤＣＣＨが以前のセミパーシステントスケジューリング構成を置き換えるために使用されてもよい。
【発明の概要】
【発明が解決しようとする課題】
【０００７】
しかし、従来技術における上りリンクＡＣＫ／ＮＡＫマルチプレクシングモードでは、ＵＥによってフィードバックされるＫ個のＡＣＫ／ＮＡＫの第１の位置は、ＳＰＳサブフレームのＡＣＫ／ＮＡＫであり、その他のサブフレームのＵＬ  ＡＣＫ／ＮＡＫの位置は、下りリンクデータ割り当てインジケーター（ＤＬ  ＤＡＩ）の順序で配列される。ＵＥは、サブフレーム内にデータが検出されない場合、ＮＡＫをフィードバックする。ＵＥは、ＳＰＳアクティベーションシグナリングを紛失した場合、第１の位置においてＮＡＫをフィードバックする。ＮＡＫに基づいて、ＢＳは、制御シグナリングは適切に受信されたが、データが誤っているとみなし、従って、正しくないＡＣＫ情報を受信する。結果として、ＢＳはＰＤＣＣＨを再送せず、ＵＥはセミパーシステント伝送の位置を依然として認識せず、それにより、不必要な再送が発生する。
【課題を解決するための手段】
【０００８】
本発明の実施形態の１つの目的は、下りリンクデータのＡＣＫ情報が適切にフィードバックされることが可能なようにＳＰＳデータパケットのＡＣＫ情報をフィードバックする、方法及び装置を提供することである。
【０００９】
本発明の実施形態の別の目的は、下りリンクデータのＡＣＫ情報が適切に受信されることが可能なようにＳＰＳデータパケットのＡＣＫ情報を受信する、方法及び装置を提供することである。
【００１０】
上述の目的を達成するために、本発明の実施形態は以下の技術的解決法を提供する。ＳＰＳデータパケットのＡＣＫ情報をフィードバックする方法は、ＢＳからＵＬ  ＤＡＩ及び下りリンクデータを受信することと（ＵＬ  ＤＡＩの値は下りリンクデータパケットの数（Ｎ）を示す）、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置にマッピングすることと、ＢＳにＮ個のＡＣＫ／ＮＡＫをフィードバックすることとを含む。
【００１１】
上述の目的を達成するために、本発明の実施形態は以下の技術的解決法を提供する。ＳＰＳデータパケットのＡＣＫ情報を受信する方法は、ＵＥにＵＬ  ＤＡＩ及び下りリンクデータを送信することと（ＵＬ  ＤＡＩの値は下りリンクデータパケットの数（Ｎ）を示す）、ＵＥから送信されたＮ個のＡＣＫ／ＮＡＫを受信することと（そのうちの、（Ｎ−ｋ＋１）番目のＡＣＫ／ＮＡＫからＮ番目のＡＣＫ／ＮＡＫまでの位置は、下りリンクデータのｋ個のＳＰＳデータパケットをマッピングするために使用される）を含む。
【００１２】
上述の目的を達成するために、本発明の実施形態は以下の技術的解決法を提供する。ＳＰＳデータパケットのＡＣＫ情報をフィードバックする装置は、ＢＳからＵＬ  ＤＡＩ及び下りリンクデータを受信するように適合された（ＵＬ  ＤＡＩの値は下りリンクデータパケットの数（Ｎ）を示す）、受信ユニットと、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置にマッピングするように適合された、処理ユニットと、ＢＳにＮ個のＡＣＫ／ＮＡＫをフィードバックするように適合された、フィードバックユニットとを含む。
【００１３】
上述の目的を達成するために、本発明の実施形態は以下の技術的解決法を提供する。ＳＰＳデータパケットのＡＣＫ情報を受信する装置は、ＵＥにＵＬ  ＤＡＩ及び下りリンクデータを送信するように適合された（ＵＬ  ＤＡＩの値は下りリンクデータパケットの数（Ｎ）を示す）、送信ユニットと、ＵＥから送信されたＮ個のＡＣＫ／ＮＡＫを受信するように適合された（そのうちの、（Ｎ−ｋ＋１）番目のＡＣＫ／ＮＡＫからＮ番目のＡＣＫ／ＮＡＫまでの位置は、下りリンクデータのｋ個のＳＰＳデータパケットをマッピングするために使用される）、受信ユニットとを含む。
【発明の効果】
【００１４】
従来技術と比較して、本発明の実施形態は以下の相違と利益とを有する。下りリンクデータのｋ個のＳＰＳデータパケットのＡＣＫ／ＮＡＫは、（Ｎ−ｋ＋１）番目のＡＣＫ／ＮＡＫからＮ番目までのＡＣＫ／ＮＡＫまでの位置にマッピングされる。この場合、ＳＰＳアクティベーションＰＤＣＣＨシグナリング、又はＳＰＳサブフレームのオーバーライドＰＤＣＣＨシグナリングが紛失していると、ＵＥは、サブフレームが動的スケジューリングサブフレームであるか又はＳＰＳサブフレームであるかを区別できない。下りリンクデータのＳＰＳデータパケットのＡＣＫ／ＮＡＫがフィードバックのためにＮ番目のＡＣＫ／ＮＡＫの位置にマッピングされる場合、Ｎ個のＡＣＫ／ＮＡＫは正しく配列されることが可能である。更に、正しく配列されたＮ個のＡＣＫ／ＮＡＫのＡＣＫ情報をＢＳが受信する場合、不必要なデータ再送は減らされることが可能であり、それによりリソースが節約される。
【図面の簡単な説明】
【００１５】
【図１】本発明の一実施形態における、ＳＰＳデータパケットのＡＣＫ情報をフィードバックする方法のフローチャートである。
【図２】本発明の一実施形態における、ＳＰＳデータパケットのＡＣＫ情報を受信する方法のフローチャートである。
【図３】本発明の別の実施形態による、ＳＰＳデータパケットのＡＣＫ情報を受信する方法における、ＳＰＳサブフレームの受信を示す概略図である。
【図４】本発明の別の実施形態による、ＳＰＳデータパケットのＡＣＫ情報を受信する方法における、ＳＰＳサブフレームの受信を示す概略図である。
【図５】本発明の別の実施形態による、ＳＰＳデータパケットのＡＣＫ情報を受信する方法における、ＳＰＳサブフレームの受信を示す概略図である。
【図６】本発明の別の実施形態による、ＳＰＳデータパケットのＡＣＫ情報を受信する方法における、ＳＰＳサブフレームの受信を示す概略図である。
【図７】本発明の一実施形態における、ＳＰＳデータパケットのＡＣＫ情報をフィードバックする装置の構成を示す。
【図８】本発明の一実施形態における、ＳＰＳデータパケットのＡＣＫ情報を受信する装置の構成を示す。
【発明を実施するための形態】
【００１６】
本発明の目的、技術的解決法、及び利点をより良く理解するために、以下では、添付の図面と例示的実施形態とを参照して本発明について詳細に説明する。
【００１７】
図１は、本発明の一実施形態における、ＳＰＳデータパケットのＡＣＫ情報をフィードバックする方法のフローチャートである。図１に示すように、この方法は以下のステップを含む。
【００１８】
ステップ１０１：ＢＳからＵＬ  ＤＡＩ及び下りリンクデータを受信し、ここで、ＵＬ  ＤＡＩの値は下りリンクデータパケットの数（Ｎ）を示す。
【００１９】
ステップ１０２：下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置にマッピングし、ここで、ｋは０よりも大きな正の整数である。
【００２０】
ステップ１０３：ＢＳにＮ個のＡＣＫ／ＮＡＫをフィードバックする。
【００２１】
ステップ１０２の、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置にマッピングすることは、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置に、正順又は逆順で（ｉｎ  ｐｏｓｉｔｉｖｅ  ｏｒ  ｎｅｇａｔｉｖｅ  ｓｅｑｕｅｎｃｅ）マッピングすることを含む。
【００２２】
ステップ１０２は、下りリンクデータの非ＳＰＳデータパケットのＡＣＫ／ＮＡＫを、Ｎ個のＡＣＫ／ＮＡＫのうちの第１のＡＣＫ／ＮＡＫからの位置にマッピングすることを更に含む。具体的には、このステップは、ＢＳからＤＬ  ＤＡＩを受信することと（ＤＬ
ＤＡＩの値は、下りリンクデータパケットが、下りリンクデータパケットのＭ番目の非ＳＰＳデータパケットであることを示す）、Ｍ番目の非ＳＰＳデータパケットのＡＣＫ／ＮＡＫを、Ｍ番目のＡＣＫ／ＮＡＫの位置にマッピングすることとを含む。
【００２３】
本実施形態では、下りリンクデータのｋ個のＳＰＳデータパケットのＡＣＫ／ＮＡＫが、（Ｎ−ｋ＋１）番目のＡＣＫ／ＮＡＫからＮ番目のＡＣＫ／ＮＡＫまでの位置にマッピングされる。この場合、ＳＰＳアクティベーションＰＤＣＣＨシグナリング、又はＳＰＳサブフレームのオーバーライドＰＤＣＣＨシグナリングが紛失していると、ＵＥは、サブフレームが動的スケジューリングサブフレームであるか又はＳＰＳサブフレームであるかを区別できない。下りリンクデータのｋ個のＳＰＳデータパケットのＡＣＫ／ＮＡＫが、（Ｎ−ｋ＋１）番目のＡＣＫ／ＮＡＫからＮ番目のＡＣＫ／ＮＡＫまでの位置にマッピングされるならば、Ｎ個のＡＣＫ／ＮＡＫは正しく配列されることが可能である。
【００２４】
図２は、本発明の一実施形態における、ＳＰＳデータパケットのＡＣＫ情報を受信する方法のフローチャートである。図２に示すように、この方法は以下のステップを含む。
【００２５】
ステップ２０１：ＵＥにＵＬ  ＤＡＩ及び下りリンクデータを送信し、ここで、ＵＬ  ＤＡＩの値は下りリンクデータパケットの数（Ｎ）を示す。
【００２６】
ステップ２０２：ＵＥによってフィードバックされたＮ個のＡＣＫ／ＮＡＫを受信し、そのうちの、（Ｎ−ｋ＋１）番目のＡＣＫ／ＮＡＫからＮ番目のＡＣＫ／ＮＡＫまでの位置は、下りリンクデータのｋ個のＳＰＳデータパケットをマッピングするために使用される。
【００２７】
ステップ２０２で、ＢＳが、ＳＰＳアクティベーションサブフレームに対するフィードバックＮＡＫを受信した場合、次回のセミパーシステント伝送時に、又はＳＰＳ再送時に、別のＳＰＳアクティベーションシグナリングが送信される。送信されるシグナリングは、ＳＰＳアクティベーションシグナリングと同じであるか又は異なる。
【００２８】
下りリンクデータの非ＳＰＳデータパケットのＡＣＫ／ＮＡＫを、ステップ２０２におけるＮ個のＡＣＫ／ＮＡＫのうちの第１のＡＣＫ／ＮＡＫからの位置にマッピングするステップは、ＵＥにＤＬ  ＤＡＩを送信することと（ＤＬ  ＤＡＩの値は、下りリンクデータパケットが、下りリンクデータパケットのＭ番目の非ＳＰＳデータパケットであることを示す）、ＵＥからＭ個のＡＣＫ／ＮＡＫを受信することと（そのうち、Ｍ番目の非ＳＰＳデータパケットのＡＣＫ／ＮＡＫが、Ｍ番目のＡＣＫ／ＮＡＫの位置にマッピングされる）を含む。
【００２９】
下りリンクデータのｋ個のＳＰＳデータパケットのＡＣＫ／ＮＡＫが、（Ｎ−ｋ＋１）番目のＡＣＫ／ＮＡＫからＮ番目のＡＣＫ／ＮＡＫまでの位置にマッピングされる。この場合、ＳＰＳアクティベーションＰＤＣＣＨシグナリング、又はＳＰＳサブフレームのオーバーライドＰＤＣＣＨシグナリングが紛失していると、ＵＥは、サブフレームが動的スケジューリングサブフレームであるか又はＳＰＳサブフレームであるかを区別できない。下りリンクデータのｋ個のＳＰＳデータパケットのＡＣＫ／ＮＡＫが、（Ｎ−ｋ＋１）番目のＡＣＫ／ＮＡＫからＮ番目のＡＣＫ／ＮＡＫまでの位置にマッピングされるならば、Ｎ個のＡＣＫ／ＮＡＫは正しく配列されることが可能である。従って、正しく配列されたＮ個のＡＣＫ／ＮＡＫをＢＳが受信する場合、不必要なデータ再送は減らされることが可能であり、それによりリソースが節約される。上述の実施形態はＴＤＤモードに基づいている。ＴＤＤモードは以下の特徴を有する。サブフレーム０及び５は下りリンクサブフレームでなければならず、サブフレーム２は上りリンクサブフレームでなければならず、ＤｗＰＴＳは下りリンクデータを送信するか又はデータを送信しなくてもよく、残りのサブフレームは上りリンク又は下りリンクサブフレームとして柔軟に割り当てられてもよい。
【表１】
0005431539.tif 000002
【００３０】
表１に示すように、５ｍｓの周期のための４つの割り当て比率、すなわち、１：３、２：２、３：１、及び３：５と、１０ｍｓの周期のための３つの割り当て比率、すなわち、６：３、７：２、及び８：１とを含む、７つの上りリンク対下りリンク割り当て比率が、３ＧＰＰ  Ｅ−ＵＴＲＡシステムにおいて規定されている。１：３及び３：５の割り当て比率を除き、割り当て比率は、Ｎ個（２個以上）の下りリンクサブフレームのＡＣＫ／ＮＡＫが１個の上りリンクサブフレーム内でフィードバックされる必要がある、という結果を引き起こす可能性がある。
【００３１】
２：２の割り当て比率を例に取ると、ＤｗＰＴＳが下りリンクデータを送信する場合、下りリンクサブフレームに対するＡＣＫ／ＮＡＫフィードバックが、下りリンクサブフレームに満遍なく割り当てられなければならない。従って、２つの上りリンクサブフレームのうちの１つは、２つの下りリンクサブフレームのＡＣＫ／ＮＡＫをフィードバックしなければならない。これらのＮ個の下りリンクサブフレームは、動的スケジューリングサブフレーム又はＳＰＳサブフレームであってもよい。ＢＳは、Ｎ個の下りリンクサブフレームのうちの１つ又は複数の下りリンクサブフレームをスケジュールしてもよい。例えば、ＢＳは、１つのみの下りリンクサブフレームを、又はＮ個の下りリンクサブフレームのうちの全てをスケジュールしてもよく、これは、サービスに応じて、ＢＳのスケジューラによって決定される。動的スケジューリングは、１つのみの下りリンクサブフレームが１度スケジュールされることが可能な、ランダムスケジューリングである。ＢＳは、任意の下りリンクサブフレームを動的にスケジュールしてもよい。各下りリンクサブフレームの動的スケジューリングにおいて、ＰＤＣＣＨが必要とされる。ＳＰＳは、複数の下りリンクサブフレームが周期ごとにスケジュールされるモードである。最初の下りリンクサブフレームのＳＰＳ内でＰＤＣＣＨが必要とされることを除き、下りリンクサブフレームの後続のＳＰＳ内ではＰＤＣＣＨは必要とされない。
【００３２】
３ＧＰＰ  ＬＴＥ技術では、ＨＡＲＱ相互作用エラーを回避するために、一連の要件が規定されている。この要件は以下の通りである。
【００３３】
１．ＵＥのスケジュールされたＰＤＳＣＨサブフレームの数を示すために、ＵＬ  Ｇｒａｎｔ内で２ビットのＵＬ  ＤＡＩが使用される。ＰＤＳＣＨサブフレームは、動的サブフレームとＳＰＳサブフレームとを含む。ある場合には、例えば、ＳＰＳサブフレームの数を決定するために、ＵＬ  ＤＡＩの値は非ＳＰＳサブフレームの数のみを含んでもよい。それらの場合、ＵＥは、ＳＰＳサブフレームの数と、ＵＬ  ＤＡＩによって示された非ＳＰＳサブフレームの数との合計を計数することによって、ＰＤＳＣＨサブフレームの数（Ｎ）を取得し、ここで、Ｎは、ＵＥがフィードバックする必要がある上りリンクＡＣＫ／ＮＡＫの数を示す。
【００３４】
２．ＵＥに割り当てられたＰＤＳＣＨサブフレームの現在の数を示すために、ＤＬ  Ｇｒａｎｔ内で２ビットのＤＬ  ＤＡＩが使用される。ＡＣＫ／ＮＡＫマルチプレクシングモードでは、ＤＬ  ＤＡＩは、カウンタを使用することによって、ＳＰＳサブフレームの数を計数することなしに、現在時までのＵＥに割り当てられたＰＤＳＣＨサブフレームの数だけを計数する。ＳＰＳサブフレームは、リソーススケジューリングインデックスシグナリングなしで下りリンクＳＰＳデータを運ぶサブフレーム、又は下りリンクＳＰＳデータとＳＰＳオーバーライドＰＤＣＣＨとを運ぶサブフレームであってもよい。ＳＰＳサブフレームは、更に、下りリンクＳＰＳデータを運ぶサブフレームであってもよく、ＳＰＳアクティベーションシグナリングＰＤＣＣＨを運ぶサブフレーム、及びＳＰＳオーバーライドＰＤＣＣＨのサブフレームを含んでもよい。
【００３５】
３．上りリンクＡＣＫ／ＮＡＫマルチプレクシングモードでは、ＵＥによってフィードバックされるＮ個のＡＣＫ／ＮＡＫのうちの第１の位置は、ＳＰＳサブフレームのＡＣＫ／ＮＡＫである。その他のサブフレームのＵＬ  ＡＣＫ／ＮＡＫは、ＤＬ  ＤＡＩの順序に従って配列される。
【００３６】
４．ＵＥは、サブフレーム内にデータが検出されない場合、ＮＡＫをフィードバックする。
【００３７】
従来技術における上りリンクＡＣＫ／ＮＡＫマルチプレクシングモードでは、ＵＬ  ＤＡＩに従ってＵＥがフィードバックするＮ個のＡＣＫ／ＮＡＫの第１の位置は、ＳＰＳサブフレームのＡＣＫ／ＮＡＫである。その他のサブフレームのＡＣＫ／ＮＡＫは、ＤＬ  ＤＡＩの順序に従って配列される。ＵＥは、サブフレーム内にデータが検出されない場合、ＮＡＫをフィードバックする。従って、ＳＰＳアクティベーションＰＤＣＣＨが紛失している場合、ＵＥはサブフレームが動的サブフレームであるか又はＳＰＳサブフレームであるかを区別できないため、ＵＬ  ＡＣＫ／ＮＡＫマルチプレクシングフィードバックにおいてエラーが発生する可能性がある。
【００３８】
図３は、本発明の別の実施形態による、ＳＰＳデータパケットのＡＣＫ情報を受信する方法における、ＳＰＳサブフレームの受信を示す概略図である。図３に示すように、ＳＰＳ伝送は、ＤＬ  Ｇｒａｎｔシグナリングによって活性化される。ＤＬ  Ｇｒａｎｔによって示された周波数リソースが、セミパーシステント伝送データパケットを運ぶ。ＵＥは、ＤＬ  Ｇｒａｎｔシグナリングが受信されない場合、データが受信されていないことを意味するＤＴＸをフィードバックしなければならないが、実際にはＮＡＫをフィードバックする。ＢＳは、ＮＡＫが、ＵＥがＤＬ  Ｇｒａｎｔシグナリングを受信したことを示すものであるか、又はＵＥがＤＬ  Ｇｒａｎｔシグナリングを受信したが、ＳＰＳデータパケットの検出中にエラーが発生したことを示すものであるかを認識しない。ＢＳは、ＮＡＫが、ＵＥがＤＬ  Ｇｒａｎｔシグナリングを受信したことを示すものであるとみなす場合、ＳＰＳリソースがすでに活性化されているとみなして、一定期間後に新たなＳＰＳデータパケットを送信する。ＳＰＳモードではＤＬ  Ｇｒａｎｔは得られないため、ＵＥは、一定期間内に正しいＳＰＳデータを取得することはできない。表１に示すように、ＢＳがＳＰＳデータパケットを再送する場合の上りリンクサブフレーム対下りリンクサブフレームの割り当て比率が１：３であり、第１のサブフレームはセミパーシステントデータパケットを運び、第２及び第３のサブフレームは動的スケジューリングサブフレームであると仮定すると、第２及び第３のサブフレームのＤＬ  Ｇｒａｎｔ内のＤＬ  ＤＡＩの値は０及び１でなければならず、上りリンクサブフレームのＵＬ  Ｇｒａｎｔ内のＤＡＩの値は３である。ＵＥが４つの下りリンクサブフレームを受信する場合に、第２のサブフレームが正しく受信され、第３のサブフレームもまた正しく受信されると仮定する。ＵＥは、上りリンク内でフィードバックを提供する場合、ＵＬ  ＧｒａｎｔのＤＡＩが３であり、受信した第２のサブフレームのＤＬ  ＧｒａｎｔのＤＬ  ＤＡＩが０であり、かつ、ＳＰＳアクティベーションＰＤＣＣＨをＵＥが受信していないため、第１のサブフレームをＳＰＳサブフレームであるとはみなさない。これは、ＳＰＳサブフレームのＡＣＫ／ＮＡＫはマルチプレクシンググループの第１の位置に固定されていなければならないという、従来技術における要件によって引き起こされる。従って、ＵＥはＡＣＫ，ＡＣＫ、及びＮＡＫをフィードバックするが、ＢＳはＵＥがＮＡＫ、ＡＣＫ、及びＡＣＫをフィードバックすることを期待する。これは、第１のサブフレームがＳＰＳサブフレームであるかどうかに関するＢＳとＵＥとの間の判断の違いによって引き起こされる。更に、ＵＥはＳＰＳアクティベーションシグナリングを受信しないが、ＢＳは、ＵＥがＳＰＳアクティベーションシグナリングを受信したとみなす。結果として、ＵＥは、ＳＰＳ期間内に、ＳＰＳデータパケットに対するＮＡＫをフィードバックし、ＢＳはＰＤＣＣＨを再送しない。従って、ＵＥはセミパーシステント伝送の位置を認識せず、これにより不必要な再送が発生する。
【００３９】
本実施形態は、ＢＳがＳＰＳデータパケットを再送する際の上りリンクサブフレーム対下りリンクサブフレームの割り当て比率が１：３であり、ＳＰＳサブフレームのＡＣＫ／ＮＡＫがマルチプレクシンググループ（Ｎ個のＡＣＫ／ＮＡＫ）の第１の位置に固定されていなければならない場合、フィードバックエラーが発生する、という従来技術の弱点を克服するための、改良された解決法を提供する。改良された解決法は次の通りである。ＳＰＳ下りリンクサブフレームに関連付けられた上りリンクＡＣＫ／ＮＡＫに対して、ＵＬ  ＡＣＫ／ＮＡＫマルチプレクシングが実行される場合、上りリンクＡＣＫ／ＮＡＫは伝送のためにマルチプレクシンググループ（Ｎ個のＡＣＫ／ＮＡＫ）内の最後の位置に固定される。
【００４０】
ＤｗＰＴＳも下りリンクデータを運ぶことができる場合、４つの下りリンクサブフレームと１つの上りリンクサブフレームとが５ｍｓ内に得られる。３つの下りリンクサブフレームがユーザのためにスケジュールされる場合、これらの３つの下りリンクサブフレームのうちの第１のサブフレームは、ＳＰＳサブフレームであり、第２及び第３のサブフレームは、下りリンク動的スケジューリングデータを運ぶ。この場合、ＵＬ  ＤＡＩは、ユーザのスケジュールされた下りリンクサブフレームの総数を計数してもよい。ＵＬ  ＤＡＩの値は３に等しい。第１の下りリンクサブフレームはＳＰＳサブフレームなので、ＤＬ  ＤＡＩパラメータはＳＰＳサブフレーム内で計数されない。第２の下りリンクサブフレームは動的スケジューリングデータであり、そのＤＬ  ＤＡＩは０に等しい。第３の下りリンクサブフレームも動的スケジューリングデータサブフレームであり、そのＤＬ  ＤＡＩは１に等しい。ＵＥが、セミパーシステント伝送データパケット（下りリンクサブフレーム１）と、セミパーシステント伝送のアクティベーションＤＬ  Ｇｒａｎｔとを紛失したが、その他のサブフレームの動的スケジューリングデータは受信した場合、ＵＥは、第１の下りリンクサブフレームがＳＰＳサブフレームであることを認識できない。ＵＥは、ＵＬ  ＤＡＩが３に等しいという事実に基づいて、３つのＵＬ  ＡＣＫ／ＮＡＫがフィードバックされる必要があると判定する。第２の下りリンクサブフレームのＤＬ  ＤＡＩは０に等しいため、ＵＥは、第２の下りリンクサブフレームがＢＳによってスケジュールされた第１の下りリンクサブフレームであると誤認して、マルチプレクシンググループ（Ｎ個のＡＣＫ／ＮＡＫ）内の第１の位置においてＡＣＫをフィードバックする可能性がある。第３の下りリンクサブフレームにおいてＤＬ  ＤＡＩは１に等しいという事実に従って、ＵＥは、第３の下りリンクサブフレームが第２のスケジュールされた下りリンクサブフレームであると判定して、マルチプレクシンググループ（Ｎ個のＡＣＫ／ＮＡＫ）内の第２の位置においてＡＣＫをフィードバックする。第４の下りリンクサブフレームにおいてデータは検出されないため、ＵＥは、第４の下りリンクサブフレームが第３のスケジュールされたサブフレームを受信していないと判定して、マルチプレクシンググループ内の第３の位置においてＮＡＫをフィードバックする可能性がある。従って、ＵＥは、ＡＣＫ、ＡＣＫ、及びＮＡＫをフィードバックする。本実施形態によれば、ＳＰＳ下りリンクサブフレームに関連付けられた上りリンクＡＣＫ／ＮＡＫに対してＵＬ  ＡＣＫ／ＮＡＫマルチプレクシングが実行される場合、上りリンクＡＣＫ／ＮＡＫは伝送のためにマルチプレクシンググループ内の最後の位置に固定される。すなわち、ＵＥは、ＳＰＳサブフレームのＡＣＫ／ＮＡＫを、３つのＡＣＫ／ＮＡＫのうちの第３の位置にマッピングする。従って、ＢＳは、フィードバックＡＣＫ、ＡＣＫ、及びＮＡＫを受信すべきである。この場合、ＵＥが送信するＡＣＫ／ＮＡＫの順序は、ＢＳが受信すべきＡＣＫ／ＮＡＫの順序と同じである。
【００４１】
加えて、本実施形態では、ＳＰＳアクティベーションサブフレームに対するＮＡＫのフィードバックをＢＳが受信した場合、ＢＳは、次の周期のセミパーシステントデータ伝送において、ＳＰＳアクティベーションＰＤＣＣＨと同じＰＤＣＣＨをもう１つ送信するか、又は、ＳＰＳサブフレーム再送のための位置において、ＳＰＳアクティベーションＰＤＣＣＨと同じＰＤＣＣＨを再送する。ＵＥは、ＰＤＣＣＨによって示されたリソースに従って、ＳＰＳデータを送信又は受信し、ＳＰＳ伝送を活性化する。
【００４２】
本実施形態では、下りリンクデータのＳＰＳデータパケットのＡＣＫ／ＮＡＫをフィードバックのために第３のＡＣＫ／ＮＡＫの位置にマッピングする。従って、ＳＰＳアクティベーションＰＤＣＣＨシグナリングが紛失している場合、ＵＥは、サブフレームが動的スケジューリングサブフレームであるか又はＳＰＳサブフレームであるかを区別できない。下りリンクデータのＳＰＳデータパケットのＡＣＫ／ＮＡＫがフィードバックのために第３のＡＣＫ／ＮＡＫの位置にマッピングされる場合、３つのＡＣＫ／ＮＡＫは正しく配列されることが可能である。加えて、本実施形態では、１：３の割り当て比率のみを例に取っている。その他の６つの割り当て比率も本発明に適用可能であり、更なる説明は行わない。
【００４３】
更に、ＳＰＳ伝送が正常に活性化された場合、ＳＰＳデータの期間が過ぎたときに、以前のＳＰＳ構成を置き換えるために、新たなＤＬ  Ｇｒａｎｔが使用されてもよい。オーバーライドＰＤＣＣＨのサブフレームがＤＬ  ＤＡＩの計数に入れられ、かつ、ＳＰＳサブフレームに関連付けられたＡＣＫ／ＮＡＫが、ＡＣＫ／ＮＡＫマルチプレクシンググループ内の第１の位置にマッピングされる必要がある場合、サブフレームのＰＤＣＣＨが紛失しているならば、エラーが発生する可能性がある。
【００４４】
図４は、本発明の別の実施形態による、ＳＰＳデータパケットのＡＣＫ情報を受信する方法における、ＳＰＳサブフレームの受信を示す概略図である。図４に示すように、ＢＳは、１：３の割り当て比率に基づいて、３つの下りリンクサブフレームをＵＥのためにスケジュールする。この場合、ＵＬ  ＤＡＩは３に等しい。サブフレームＡは、ＳＰＳオーバーライドサブフレームである。従って、ＳＰＳオーバーライドサブフレームのＤＬ  ＤＡＩは０に等しい。サブフレームＣ及びＤは動的スケジューリングサブフレームであり、それらのＤＬ  ＤＡＩは１及び２に等しい。サブフレームＡにおいてＳＰＳオーバーライドＰＤＣＣＨが発生した場合に、サブフレームＡ及びＤのＰＤＣＣＨが紛失しているならば、サブフレームＣのみが受信されることが可能である。この場合、ＵＥは、サブフレームＣのＵＬ  ＤＡＩ及びＤＬ  ＤＡＩが３及び１に等しいことを認識する。しかし、ＵＥは、サブフレームＡがＳＰＳオーバーライドサブフレームであることを認識しない。代わりに、ＵＥは、サブフレームＡが、依然として、ＤＬ  ＤＡＩの計数に入れられないＳＰＳサブフレームであるとみなす。従って、ＵＥは、サブフレームＢが、ＤＬ  ＤＡＩが０に等しいサブフレームとして使用されたと誤認する可能性がある。結果として、ＳＰＳサブフレームに関連付けられたＡＣＫ／ＮＡＫがマルチプレクシンググループ内の第１の位置に固定される場合、ＵＥはＮＡＫ、ＮＡＫ、及びＡＣＫをフィードバックするが、ＢＳはフィードバックＮＡＫ、ＡＣＫ、及びＮＡＫを受信すべきである。
【００４５】
本実施形態は、ＳＰＳサブフレームのＡＣＫ／ＮＡＫがフィードバックのためにマルチプレクシンググループ内の第１の位置に固定される、及び、ＳＰＳサブフレームのオーバーライドＰＤＤＣＨが紛失している場合にフィードバックエラーが発生する、という従来技術の弱点を克服するための、改良された解決法を提供する。改良された解決法は次の通りである。上りリンクサブフレーム対下りリンクサブフレームの割り当て比率が１：３である場合、ＤｗＰＴＳが下りリンクデータを運ぶことができるならば、４つの下りリンクサブフレームと１つの上りリンクサブフレームとが５ｍｓの期間内に得られる。ＳＰＳ下りリンクサブフレームに関連付けられた上りリンクＡＣＫ／ＮＡＫに対して、ＵＬ  ＡＣＫ／ＮＡＫマルチプレクシングが実行される場合、上りリンクＡＣＫ／ＮＡＫは伝送のためにＮ個のＡＣＫ／ＮＡＫのうちの最後の位置に固定され、すなわち、それらのＡＣＫ／ＮＡＫは、第３の位置に固定される。この場合、ＢＳは、フィードバックＮＡＫ、ＡＣＫ、及びＮＡＫを受信しなければならない。サブフレームＣのＤＬ  ＤＡＩ及びＵＬ  ＤＡＩが１及び３であるという事実に従って、ＵＥは、サブフレームＢが動的スケジューリングサブフレームであると誤認して、サブフレームＢに対してＮＡＫをフィードバックする可能性があり、そして、サブフレームＡがＳＰＳサブフレームであると誤認して、ＵＬ  ＡＣＫ／ＮＡＫマルチプレクシンググループ内の最後の位置において、サブフレームＡに対してＮＡＫをフィードバックする可能性がある。その他のサブフレームのＵＬ  ＡＣＫ／ＮＡＫは、ＤＬ  ＤＡＩの順序に従って配列される。ＵＥは、ＮＡＫ、ＡＣＫ、及びＮＡＫをフィードバックする。この場合、ＵＥが実際に送信するフィードバックの順序は、ＢＳが受信すべきフィードバックの順序と同じである。
【００４６】
本実施形態では、下りリンクデータのＳＰＳデータパケットのＡＣＫ／ＮＡＫをフィードバックのために第３のＡＣＫ／ＮＡＫの位置にマッピングする。従って、ＳＰＳフレームのオーバーライドＰＤＣＣＨシグナリングが紛失している場合、ＵＥは、サブフレームが動的スケジューリングサブフレームであるか又はＳＰＳサブフレームであるかを区別できない。下りリンクデータのＳＰＳデータパケットのＡＣＫ／ＮＡＫがフィードバックのために第３のＡＣＫ／ＮＡＫの位置にマッピングされる場合、ＵＥが実際に送信するフィードバックの順序は、ＢＳが受信すべきフィードバックの順序と同じである。加えて、本実施形態では、１：３の割り当て比率のみを例に取っている。その他の６つの割り当て比率も本発明に適用可能であり、更なる説明は行わない。
【００４７】
図３に示す実施形態は、ＳＰＳサブフレームのＳＰＳアクティベーションＰＤＣＣＨが紛失しているという事実に基づいている。しかし、本実施形態では、送信されるＳＰＳサブフレームの数は１に制限されない。本実施形態では、２つのＳＰＳサブフレームが存在し、そのうちの、一方のＳＰＳサブフレームのＳＰＳアクティベーションＰＤＣＣＨが紛失しており、他方のＳＰＳサブフレームは正常に送信されると仮定する。図５は、本発明の別の実施形態による、ＳＰＳデータパケットのＡＣＫ情報を受信する方法における、ＳＰＳサブフレームの受信を示す概略図である。図５に示すように、サブフレームＢは、ＳＰＳアクティベーションＰＤＣＣＨが紛失しているＳＰＳサブフレームであり、サブフレームＣは、ＤＬ  Ｇｒａｎｔなしで正常に送信されるＳＰＳサブフレームである。下りリンクデータのＳＰＳデータパケットのＡＣＫ／ＮＡＫがフィードバックのために第１のＡＣＫ／ＮＡＫの位置にマッピングされる場合、エラーが発生する可能性がある。具体的な解析は以下の通りである。ＢＳは、３つの下りリンクサブフレームをＵＥのためにスケジュールし、ＵＬ  ＤＡＩは３に等しい。サブフレームＡは、動的スケジューリングデータを運ぶ。この場合、ＤＬ  ＤＡＩは０に等しく、ＵＥは、サブフレームを受信して、ＡＣＫをフィードバックする。ＵＥは、サブフレームＢの位置において、ＳＰＳアクティベーションＰＤＣＣＨを受信しない。従って、ＵＥは、サブフレームＢがサブフレームＳＰＳであるとはみなさないが、サブフレームＢが動的スケジューリングサブフレームであると誤認する。結果として、ＵＥは、第３の位置においてＮＡＫをフィードバックする。サブフレームＣは、ＤＬ  Ｇｒａｎｔなしで正常に送信されるＳＰＳサブフレームである。ＵＥは、サブフレームを受信し、そして、第１の位置においてＡＣＫをフィードバックすべきである。実際には、ＵＥは、ＡＣＫ、ＡＣＫ、及びＮＡＫをフィードバックする。ＢＳは、フィードバックＮＡＫ、ＡＣＫ、及びＡＣＫを受信すべきである。この場合、ＵＥが実際に送信するフィードバックの順序は、ＢＳが受信すべきフィードバックの順序とは異なる。
【００４８】
この問題を解決するために、本実施形態では、ＳＰＳ下りリンクサブフレームに関連付けられた上りリンクＡＣＫ／ＮＡＫに対してＵＬ  ＡＣＫ／ＮＡＫマルチプレクシングが実行される場合、ＳＰＳサブフレームに関連付けられたＡＣＫ／ＮＡＫを、動的サブフレームの後ろに、一定の順序で配列する。本実施形態によれば、サブフレームＡのＤＬ  ＤＡＩは０に等しく、サブフレームＡは、フィードバックＡＣＫを有する動的スケジューリングサブフレームであり、このＡＣＫは第１のＡＣＫ／ＮＡＫの位置にマッピングされなければならない。サブフレームＢは、ＳＰＳサブフレームであり、これに対してはＮＡＫがフィードバックされなければならず、サブフレームＣは、ＳＰＳサブフレームであり、これに対しては、第３のＡＣＫ／ＮＡＫの位置においてＡＣＫがフィードバックされなければならない。ＳＰＳサブフレームのＡＣＫ／ＮＡＫの位置は、サブフレームＢ及びＣの到着順序に従って配列される。ＢＳは、フィードバックＡＣＫ、ＮＡＫ、及びＡＣＫを受信しなければならない。サブフレームＡのＤＬ  ＤＡＩ及びＵＬ  ＤＡＩは０及び３に等しいという事実に従って、ＵＥは、サブフレームＡが動的スケジューリングサブフレームであると判定してもよく、そして、ＤＬ  ＤＡＩが０に等しいため、第１の位置においてＡＣＫをフィードバックしてもよい。サブフレームＢのＰＤＣＣＨが紛失しているため、ＵＥは、サブフレームＢが動的スケジューリングサブフレームであると誤認して、ＵＬ  ＡＣＫ／ＮＡＫの第２の位置においてＮＡＫをフィードバックする可能性がある。サブフレームＣは、ＳＰＳサブフレームであり、正しく受信される。この場合、ＡＣＫは最後の位置にマッピングされる。実際には、ＵＥは、ＡＣＫ、ＮＡＫ、及びＡＣＫをフィードバックする。この場合、ＵＥが実際に送信するフィードバックの順序は、ＢＳが受信すべきフィードバックの順序と同じである。
【００４９】
本実施形態では、下りリンクデータの２つのＳＰＳデータパケットのＡＣＫ／ＮＡＫをフィードバックのために第２及び第３のＡＣＫ／ＮＡＫの位置にマッピングする。従って、ＳＰＳアクティベーションＰＤＣＣＨシグナリングが紛失している場合、ＵＥは、サブフレームが動的スケジューリングサブフレームであるか又はＳＰＳサブフレームであるかを区別できない。下りリンクデータのＳＰＳデータパケットのＡＣＫ／ＮＡＫがフィードバックのために第２及び第３のＡＣＫ／ＮＡＫの位置にマッピングされる場合、３つのＡＣＫ／ＮＡＫは正しく配列されることが可能である。加えて、本実施形態では、２つのみのＳＰＳデータパケットを例に取っている。３つ以上のＳＰＳデータパケットも本発明に適用できる可能性がある。本実施形態は、ＳＰＳアクティベーションＰＤＣＣＨシグナリングが紛失しているという条件に基づいている。ＳＰＳアクティベーションＰＤＣＣＨシグナリングが紛失しており、かつ、通常のＳＰＳデータパケットが紛失している、という条件も本発明に適用可能であり、更なる説明は行わない。更に、本実施形態では、１：３の割り当て比率のみを例に取っている。その他の６つの割り当て比率も本発明に適用可能であり、更なる説明は行わない。
【００５０】
上述の実施形態は、ＢＳが３つの下りリンクサブフレームをＵＥのためにスケジュールしたという条件に基づいている。本発明の別の実施形態における、ＳＰＳデータパケットのＡＣＫ情報を受信する方法は、以下の条件に基づいている。上りリンクサブフレーム対下りリンクサブフレームの割り当て比率が１：３であり、４つの下りリンクサブフレームが５ｍｓの期間内に得られ、ＢＳが４つの下りリンクサブフレームをＵＥのためにスケジュールし、セミパーシステント伝送の開始時にＳＰＳサブフレームデータパケットの伝送が失敗し、そして、動的サブフレームのＰＤＣＣＨが紛失している。図６は、本発明の別の実施形態による、ＳＰＳデータパケットのＡＣＫ情報を受信する方法における、ＳＰＳサブフレームの受信を示す概略図である。図６に示すように、ＤｗＰＴＳが下りリンクデータを運ぶことができる場合、４つの下りリンクサブフレームと１つの上りリンクサブフレームとが５ｍｓの期間内に得られる。ＳＰＳサブフレームデータパケットＡの伝送が失敗し、動的サブフレームＢのＰＤＣＣＨが紛失している場合、セミパーシステント伝送の開始時に、ＵＥは、セミパーシステント伝送データサブフレームを、一定期間内に一定時間受信する。ＳＰＳ下りリンクサブフレームに関連付けられた上りリンクＡＣＫ／ＮＡＫに対して、ＵＬ  ＡＣＫ／ＮＡＫマルチプレクシングが実行される場合、上りリンクＡＣＫ／ＮＡＫは伝送のためにマルチプレクシンググループ内の最後の位置に固定される。ＵＥは、サブフレームＡがＳＰＳサブフレームであることを認識し、サブフレームＡのデータが紛失していることを検出する。次に、ＵＥは、ＮＡＫをフィードバックする。ＵＥはサブフレームＢ内のＰＤＣＣＨを検出しない。ＵＥは、サブフレームＣ内のデータを検出し、ＤＬ  ＤＡＩが１に等しいという事実に従って、サブフレームＢが動的データスケジューリングサブフレームを紛失したことを推定する。ＵＥは、サブフレームＤが正しく、フィードバックＡＣＫを有することを検出する。ＵＬ  ＤＡＩは４に等しいため、ＵＥは４つのＡＣＫ／ＮＡＫをフィードバックする必要がある。ＤＬ  ＤＡＩの配列順序と、ＳＰＳサブフレームを最後の位置にマッピングする方法とに従って、ＵＥは、ＮＡＫ、ＡＣＫ、ＡＣＫ、及びＮＡＫのフィードバックを提供する。しかし、ＢＳは、フィードバックＮＡＫ、ＡＣＫ、ＡＣＫ、及びＮＡＫを受信すべきである。従って、ＵＥが実際に送信するフィードバックの順序は、ＢＳが受信すべきフィードバックの順序と同じである。
【００５１】
図７は、本発明の一実施形態における、ＳＰＳデータパケットのＡＣＫ情報をフィードバックする装置の構成を示す。図７に示すように、フィードバック装置１０は、ＢＳからＵＬ  ＤＡＩ及び下りリンクデータを受信するように適合された（ＵＬ  ＤＡＩの値は下りリンクデータパケットの数（Ｎ）を示す）、受信ユニット１１と、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置にマッピングするように適合された、処理ユニット１２と、ＢＳにＮ個のＡＣＫ／ＮＡＫをフィードバックするように適合された、フィードバックユニット１３とを含む。処理ユニット１２は、下りリンクデータの非ＳＰＳデータパケットのＡＣＫ／ＮＡＫを、Ｎ個のＡＣＫ／ＮＡＫのうちの第１のＡＣＫ／ＮＡＫからの位置にマッピングするように更に適合される。処理は次の通りである。ＢＳからＤＬ  ＤＡＩを受信し（ＤＬ  ＤＡＩの値は、下りリンクデータパケットが、Ｍ番目の非ＳＰＳ下りリンクデータパケットであることを示す）、Ｍ番目の非ＳＰＳデータパケットのＡＣＫ／ＮＡＫを、Ｍ番目のＡＣＫ／ＮＡＫの位置にマッピングする。
【００５２】
加えて、処理ユニット１２は、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置に、正順又は逆順でマッピングしてもよい。詳細は本発明の第３〜第６の実施形態において提供されており、更なる提供は行わない。
【００５３】
本実施形態では、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置にマッピングする。この場合、ＳＰＳアクティベーションＰＤＣＣＨシグナリング、又はＳＰＳサブフレームのオーバーライドＰＤＣＣＨシグナリングが紛失していると、ＵＥは、サブフレームが動的スケジューリングサブフレームであるか又はＳＰＳサブフレームであるかを区別できない。下りリンクデータのｋ個のＳＰＳデータパケットのＡＣＫ／ＮＡＫが、（Ｎ−ｋ＋１）番目のＡＣＫ／ＮＡＫからＮ番目のＡＣＫ／ＮＡＫまでの位置にマッピングされる場合、Ｎ個のＡＣＫ／ＮＡＫは正しく配列されることが可能である。
【００５４】
図８は、本発明の一実施形態における、ＳＰＳデータパケットのＡＣＫ情報を受信する装置の構成を示す。図８に示すように、受信装置は、ＵＥにＵＬ  ＤＡＩ及び下りリンクデータを送信するように適合された（ＵＬ  ＤＡＩの値は下りリンクデータパケットの数（Ｎ）を示す）、送信ユニット２１と、ＵＥによってフィードバックされたＮ個のＡＣＫ／ＮＡＫを受信するように適合された（そのうちの、（Ｎ−ｋ＋１）番目のＡＣＫ／ＮＡＫからＮ番目のＡＣＫ／ＮＡＫまでの位置は、下りリンクデータのｋ個のＳＰＳデータパケットをマッピングするために使用される）、受信ユニット２２とを含む。送信ユニットは、ＳＰＳアクティベーションサブフレームに対するフィードバックＮＡＫを受信ユニット２２が受信した場合に、次回のセミパーシステント伝送においてもう１つのＳＰＳアクティベーションシグナリングを送信するか、又はＳＰＳ再送時にもう１つのＳＰＳアクティベーションシグナリングを送信するように更に適合され、再送されるシグナリングは、ＳＰＳアクティベーションシグナリングと同じであるか又は異なる。加えて、受信ユニット２２内で、下りリンクデータの非ＳＰＳデータパケットのＡＣＫ／ＮＡＫは、Ｎ個のＡＣＫ／ＮＡＫの第１の位置からの位置にマッピングされる。処理は次の通りである。ＵＥにＤＬ  ＤＡＩを送信し（ＤＬ  ＤＡＩの値は、下りリンクデータパケットが、Ｍ番目の非ＳＰＳ下りリンクデータパケットであることを示す）、ＵＥによってフィードバックされたＭ個のＡＣＫ／ＮＡＫを受信する（そのうち、Ｍ番目の非ＳＰＳデータパケットが、Ｍ番目のＡＣＫ／ＮＡＫの位置にマッピングされる）。詳細は上述の方法実施形態において提供されている。
【００５５】
本発明の実施形態では、下りリンクデータのｋ個のＳＰＳデータパケットのＡＣＫ／ＮＡＫを、（Ｎ−ｋ＋１）番目のＡＣＫ／ＮＡＫからＮ番目のＡＣＫ／ＮＡＫまでの位置にマッピングする。この場合、ＳＰＳアクティベーションＰＤＣＣＨシグナリング、又はＳＰＳサブフレームのオーバーライドＰＤＣＣＨシグナリングが紛失していると、ＵＥは、サブフレームが動的スケジューリングサブフレームであるか又はＳＰＳサブフレームであるかを区別できない。下りリンクデータのｋ個のＳＰＳデータパケットのＡＣＫ／ＮＡＫが、（Ｎ−ｋ＋１）番目のＡＣＫ／ＮＡＫからＮ番目のＡＣＫ／ＮＡＫまでの位置にマッピングされる場合、Ｎ個のＡＣＫ／ＮＡＫは正しく配列されることが可能である。従って、正しく配列されたＮ個のＡＣＫ／ＮＡＫのＡＣＫ情報をＢＳが受信する場合、不必要なデータ再送は減らされることが可能であり、それによりリソースが節約される。
【００５６】
実施形態の上述の説明により、当業者は、本発明の実施形態がハードウェアによって、又は必要なハードウェアプラットフォームと組み合わせたソフトウェアによって実施されてもよいということを理解できる。従って、本発明の技術的解決法は、ソフトウェアとして作製されてもよい。ソフトウェアは、不揮発性記憶媒体（例えば、ＣＤ−ＲＯＭ，ＵＳＢフラッシュディスク、及びモバイルハードディスク）内に記憶されてもよく、そして、本発明の各実施形態において提供された方法をコンピュータ装置（ＰＣ、サーバ、又はネットワーク装置）が実行することを可能にする複数の命令を含んでもよい。
【００５７】
本発明について、いくつかの例示的実施形態と添付の図面とを介して説明してきたが、本発明はそのような実施形態に限定されない。本発明の精神及び範囲を逸脱することなく当業者が本発明に対して様々な修正及び変形を行うことが可能であることは明白である。
【図１】
0005431539.tif 000003
【図２】
0005431539.tif 000004
【図３】
0005431539.tif 000005
【図４】
0005431539.tif 000006
【図５】
0005431539.tif 000007
【図６】
0005431539.tif 000008
【図７】
0005431539.tif 000009
【図８】
0005431539.tif 000010